(57)【要約】【課題】より多くの詳細な地域の天気情報を、より信頼性高く収集し、管理することができる天気情報提供システムを提供することである。【解決手段】端末装置が、ユーザーによる自身の所在地の天気情報の入力を受付ける天気情報入力手段と、ユーザーによる天気情報を知りたい地域を特定する地域情報の入力を受付ける地域情報入力手段と、ユーザー自身の所在地を取得する位置情報取得手段と、前記天気情報入力手段によって受付入力された天気情報と前記地域情報入力手段によって受付入力された地域情報と前記位置情報取得手段によって取得した位置情報とを含む天気情報要求信号を天気情報管理サーバーに送信する天気情報要求信号を送信する天気情報要求信号送信手段と、天気情報管理サーバーからの天気情報を受信する天気情報受信手段と、前記天気情報受信手段によって受信した天気情報をユーザーに対して報知する天気情報報知手段とを有する。【選択図】図１
2011076142.tif 000002
【特許請求の範囲】
【請求項１】
ユーザーによる自身の所在地の天気情報の入力を受付ける天気情報入力手段と、ユーザーによる天気情報を知りたい地域を特定する地域情報の入力を受付ける地域情報入力手段と、ユーザー自身の所在地を取得する位置情報取得手段と、前記天気情報入力手段によって受付入力された天気情報と前記地域情報入力手段によって受付入力された地域情報と前記位置情報取得手段によって取得した位置情報とを含む天気情報要求信号を送信する天気情報要求信号を送信する天気情報要求信号送信手段と、を有する端末装置と、
前記端末装置とネットワークで接続され、前記端末装置から前記天気情報要求信号を受信する天気情報要求信号受信手段と、前記天気情報要求信号受信手段によって受信した天気情報要求信号に含まれる前記天気情報と前記位置情報とを対応付けて記憶する記憶手段と、前記天気情報要求信号受信手段によって受信した天気情報要求信号に含まれる前記地域情報に相当する位置情報に対応付けられた天気情報を前記記憶手段から取得する天気情報取得手段と、前記天気情報取得手段によって取得した天気情報を該天気情報要求信号の送信元である前記端末装置に対して送信する天気情報送信手段と、を有する天気情報管理サーバーと、
を備え、
前記端末装置が、前記天気情報送信手段によって送信した天気情報を受信する天気情報受信手段と、前記天気情報受信手段によって受信した天気情報をユーザーに対して報知する天気情報報知手段と、をさらに有する、
ことを特徴とする天気情報管理システム。
【請求項２】
前記位置情報取得手段がＧＰＳ装置であることを特徴とする請求項１に記載の天気情報管理システム。
【発明の詳細な説明】
【技術分野】
【０００１】
本発明は天気情報管理システムに関し、特に、各地の天気情報を管理する天気情報管理システムに関する。
【背景技術】
【０００２】
従来、気象庁などによる天気予報により各地の天気情報を知ることができた。ところが、その予報がされる地域は、気象庁の地域気象観測システム（通称アメダス、ＡＭｅＤＡＳ，Ａｕｔｏｍａｔｅｄ  Ｍｅｔｅｏｒｏｌｏｇｉｃａｌ  Ｄａｔａ  Ａｃｑｕｉｓｉｔｉｏｎ  Ｓｙｓｔｅｍ）の気象観測所の地域が主であり、より詳細な地域の天気を知ることはできなかった。
【０００３】
これに対して特許文献１に記載の発明では、携帯電話機を利用し、携帯電話機のユーザーが自身の所在地の天気情報を天気予報会社に提供する天気情報提供システムを開示している。
【０００４】
この特許文献１に記載の発明では、携帯電話機の普及台数の多さに着目し、より多くの詳細な地域の天気情報を得ようとしている。
【先行技術文献】
【特許文献】
【０００５】
【特許文献１】特開２００２−０９９５７６号公報
【発明の概要】
【発明が解決しようとする課題】
【０００６】
ところで、特許文献１に記載の天気情報提供システムでは、携帯電話機のユーザーが、自身の所在地の天気情報を天気予報会社に提供する仕組みを採用しているが、その際、天気情報の提供の対価としてそのユーザーの携帯電話料金を減額するようにしている。すなわち、特許文献１に記載の天気情報提供システムでは、携帯電話料金の減額を、ユーザーが天気情報を提供する際の動機付けとしている。
【０００７】
しかしながら、このようなシステムでは、携帯電話料金の減額を目当てに、一部のユーザーが天気予報会社に虚偽情報を提供してしまうことも考えられ、正確な天気情報が得られない虞があった。虚偽情報か否かの判定は困難であり、複数の情報で多数決を採るとしても多数の方が虚偽情報であることも大いに考えられる。こうなると天気予報会社に提供され、天気予報会社がユーザーに対して提供する天気情報の信頼性が低下し、利用価値のないものとなってしまうという問題があった。
【０００８】
本発明は上記の点にかんがみてなされたもので、より多くの詳細な地域の天気情報を、より信頼性高く収集し、管理することができる天気情報提供システムを提供することを目的とする。
【課題を解決するための手段】
【０００９】
本発明は上記の目的を達成するために、ユーザーによる自身の所在地の天気情報の入力を受付ける天気情報入力手段と、ユーザーによる天気情報を知りたい地域を特定する地域情報の入力を受付ける地域情報入力手段と、ユーザー自身の所在地を取得する位置情報取得手段と、前記天気情報入力手段によって受付入力された天気情報と前記地域情報入力手段によって受付入力された地域情報と前記位置情報取得手段によって取得した位置情報とを含む天気情報要求信号を送信する天気情報要求信号を送信する天気情報要求信号送信手段と、を有する端末装置と、前記端末装置とネットワークで接続され、前記端末装置から前記天気情報要求信号を受信する天気情報要求信号受信手段と、前記天気情報要求信号受信手段によって受信した天気情報要求信号に含まれる前記天気情報と前記位置情報とを対応付けて記憶する記憶手段と、前記天気情報要求信号受信手段によって受信した天気情報要求信号に含まれる前記地域情報に相当する位置情報に対応付けられた天気情報を前記記憶手段から取得する天気情報取得手段と、前記天気情報取得手段によって取得した天気情報を該天気情報要求信号の送信元である前記端末装置に対して送信する天気情報送信手段と、を有する天気情報管理サーバーと、を備え、前記端末装置が、前記天気情報送信手段によって送信した天気情報を受信する天気情報受信手段と、前記天気情報受信手段によって受信した天気情報をユーザーに対して報知する天気情報報知手段と、をさらに有する、ことを特徴とする。
【００１０】
また本発明は請求項１に記載の発明において、前記位置情報取得手段がＧＰＳ装置であることを特徴とする。
【発明の効果】
【００１１】
本発明によれば、より多くの詳細な地域の天気情報を、より信頼性高く収集し、管理することができる天気情報提供システムを提供することができる。
【図面の簡単な説明】
【００１２】
【図１】本発明による天気情報管理システムの一実施の形態の構成を示すブロック図である。
【図２】図１に示した天気情報管理サーバー１の構成を示すブロック図である。
【図３】図１に示した端末装置３の構成を示すブロック図である。
【図４】図１に示した天気情報管理システムの動作を説明するブロック図である。
【図５】図４に示した入出力手段３２の表示内容を拡大して示す図である。
【図６】図１に示した天気情報管理システムの端末装置３の動作を説明するフローチャートを示す図である。
【図７】図１に示した天気情報管理システムの天気情報管理サーバー１の動作を説明するフローチャートを示す図である。
【発明を実施するための形態】
【００１３】
以下、本発明による実施の形態について図面を参照して説明する。
【００１４】
図１は、本発明による天気情報管理システムの一実施の形態の構成を示すブロック図である。
【００１５】
本実施の形態の天気情報管理システムは、ユーザーが端末装置を操作してインターネットに接続し、天気情報管理サーバーにアクセスして利用される。
【００１６】
図１に示すように、本実施の形態の天気情報管理システムは、サーバーコンピュータである天気情報管理サーバー１と、携帯電話機やＰＤＡやパソコンなどである端末装置３、４、５、６とを有し、天気情報管理サーバー１と、端末装置３、４、５、６とをネットワーク２で接続して構成される。
【００１７】
図１において、ネットワーク２はたとえばインターネットであり、このインターネットに各装置がアクセスするためのネットワークとしては、たとえばイーサネット（登録商標）やトークンリング等のＬＡＮやそのほかインターネットなど、また有線、無線を問わず、また通信プロトコルも問わず、どのようなネットワークでもかまわない。ネットワーク５に接続された各装置のそれぞれには、予めネットワーク上のアドレスが設定されており、各装置はこのアドレスによって識別され、ネットワーク５に接続された他の装置との通信を行う。
【００１８】
図２は、図１に示した天気情報管理サーバー１の構成を示すブロック図である。
【００１９】
天気情報管理サーバー１は、図１に示したネットワーク２とのインタフェースであるネットワーク接続手段１４と、天気情報管理サーバー１全体の動作を制御するＣＰＵやＭＰＵなどの制御手段１１と、操作者が天気情報管理サーバー１に対する操作、指示等を入力したり、天気情報管理サーバー１が操作者に対して様々な情報を表示したり出力する入出力手段１２と、天気情報管理サーバー１の動作に必要なプログラムおよびパラメータ等を記憶する記憶手段１３とを有して構成される。入出力手段１２としては、たとえば、入力のためにキーボードやマウス等が用いられ、出力のためにディスプレイ装置等が用いられ、また、入出力のためにタッチパネル等が用いられる。
【００２０】
図３は、図１に示した端末装置３の構成を示すブロック図である。
【００２１】
端末装置３、４、５および６としては、携帯電話機やパソコンやＰＤＡ等が用いられる。図１に示した端末装置３、４、５および６は、本実施の形態に関わる基本構成は同様であるので、ここでは代表して端末装置３について説明する。
【００２２】
端末装置３は、図１に示したネットワーク２とのインタフェースであるネットワーク接続手段３４と、端末装置３全体の動作を制御するＣＰＵやＭＰＵなどの制御手段３１と、ユーザーが端末装置３に対する操作、指示等を入力したり、端末装置３がユーザーに対して様々な情報を表示したり出力する入出力手段３２と、端末装置３の動作に必要なプログラムおよびパラメータ等を記憶する記憶手段３３と、たとえばＧＰＳ装置などの自装置の位置情報を取得する位置情報取得手段３５とを有して構成される。入出力手段３２としては、たとえば、入力のためにキーボードやマウス等が用いられ、出力のためにディスプレイ装置等が用いられ、また、入出力のためにタッチパネル等が用いられる。
【００２３】
次に、本実施の形態の天気情報管理システムの動作について説明する。
【００２４】
図４は、図１に示した天気情報管理システムの動作を説明するブロック図である。
【００２５】
本実施の形態の天気情報管理システムによれば、ユーザーは、端末装置３、４、５および６のいずれかを用いて、ネットワーク２を介して天気情報管理サーバー１にアクセスし、天気情報管理システムのサービスの提供を受ける。
【００２６】
本実施の形態の天気情報管理システムでは、ユーザーが所定地域の天気情報を知りたい場合、端末装置３の入出力手段３２において、ユーザーの所在地の天気情報とともに天気情報を知りたい地域がどこであるかを入力し、これを天気情報管理サーバー１に通知して、前記所定地域の天気情報を問い合わせる。
【００２７】
図５は、図４に示した入出力手段３２の表示内容を拡大して示す図である。
【００２８】
図５に示すように、本実施の形態の天気情報管理システムでは、入出力手段３２に、天気情報入力欄３２１と、地域情報入力欄３２２とを有している。
【００２９】
ユーザーは、自身の所在地の天気をたとえば目視によって確認し、その天気情報を天気情報入力欄３２１に入力する。図５の例では、「晴れ」、「曇り」、「雨」の３種類の天気情報から選択することにより、ユーザーの入力時の便宜を図っているが、「雪」、「小雨」、「大雨」、「暴風雨」など、さらに詳細な天気情報を入力可能にしてもよいし、天気情報を文字入力してもよい。また、端末装置３としてデジタルカメラ機能（静止画、動画のいずれかあるいは両者であってもかまわない）を有するものを用いれば、ユーザーの所在地の戸外の様子をそのデジタルカメラ機能で撮影し、その撮影結果を、天気情報入力欄３２１によって入力される天気情報の一部あるいは全部としてもよい。また、端末装置３に温度計や湿度計等を設け、これらによって得た温度情報や湿度情報を天気情報に含めてもよい。
【００３０】
また、ユーザーは、地域情報入力欄３２２に、天気情報を知りたい所定地域を特定する情報を入力する。地域入力欄３２２への入力は、地域名、住所などの地域を特定する情報を直接文字入力してもよいし、プルダウン選択式で地域を特定する情報を入力する用意してもよいし、地図を表示してその中で選択させるようにしてもよい。
【００３１】
本実施の形態の動作について図６を参照しながらさらに詳しく説明する。
【００３２】
図６は、図１に示した天気情報管理システムの端末装置３の動作を説明するフローチャートを示す図である。
【００３３】
図７は、図１に示した天気情報管理システムの天気情報管理サーバー１の動作を説明するフローチャートを示す図である。
【００３４】
図６を参照すると、ユーザーは、端末装置３の入出力手段３２を操作して、天気情報入力欄３２１に自身の所在地の天気情報を入力し、さらに、自身が天気情報を知りたい地域の地域情報を地域情報入力欄３２２に入力する。入出力手段３２はこの入力を受付ける（Ａ−１、Ａ−２）。制御手段３１は、入出力手段３２から、入力された天気情報および地域情報を取得する。
【００３５】
続いて制御手段３１は、位置情報取得手段３５によって端末装置３の所在地すなわちユーザーの所在地の位置情報を取得する（Ａ−３）。なお、この位置情報の取得は、ＧＰＳ装置等の位置情報取得手段３５によって取得するものに限られず、地域情報入力欄３２２にユーザーが入力するものと同様に、ユーザーの所在地をユーザー自身が入力するものであってもかまわない。
【００３６】
続いて制御手段３１は、天気情報管理サーバー１に送信する天気情報要求信号を生成する（Ａ−４）。この天気情報要求信号は、現在の時刻を示す時刻情報と、ステップ（Ａ−１）で入力された天気情報と、ステップ（Ａ−３）で取得した位置情報である地域情報と、ステップ（Ａ−２）で入力された地域情報である要求地域情報とを含むものである。
【００３７】
続いて制御手段３１は、ステップ（Ａ−４）で生成した天気情報要求信号を天気情報管理サーバー１に対して送信する（Ａ−５）。その後、制御手段３１は天気情報管理サーバー１からの天気情報の受信を待つ（Ａ−６）。
【００３８】
ここで、図７を参照すると、天気情報管理サーバー１の制御手段１１では、天気情報要求信号の受信を待ち（Ｂ−１）、天気情報要求信号を受信したならば（Ｂ−１：Ｙｅｓ）、その受信した天気情報要求信号に含まれる、地域情報と天気情報と時刻情報とを対応付けて記憶手段１３に記憶する（Ｂ−２）。
【００３９】
続いて制御手段１１は、ステップ（Ｂ−１：Ｙｅｓ）で受信した天気情報要求信号に含まれる、要求地域情報に該当する地域情報に対応付けられている天気情報を記憶手段１３から取得する（Ｂ−３）。このとき取得する天気情報としては、ユーザーが端末装置３の入出力手段３２で地域情報入力欄３２２に入力する際に天気を知りたい時刻も入力するようにし、この時刻情報も天気情報要求信号に含め、この時刻情報で、ステップ（Ｂ−３）で記憶手段１３から取得する天気情報を絞り込むようにしてもよいし、あらかじめ定めた時間（たとえば現在時刻から１時間前までの間）の天気情報を取得するようにしてもよいし、その地域のすべての時刻の天気情報を取得するようにしてもよいし、最新の天気情報を取得するようにしてもよい。
【００４０】
続いて制御手段１１は、ステップ（Ｂ−３）で取得した天気情報を、今回の天気情報要求信号の送信元である端末装置３に対して送信する（Ｂ−４）。
【００４１】
ここで、図６に戻り、端末装置３の制御手段３１は、天気情報管理サーバー１からの天気情報を受信したならば（Ａ−６：Ｙｅｓ）、入出力手段３２にその受信した天気情報を表示する（Ａ−７）。この表示は、天気情報を時系列に表示するものであってもよいし、同じ地域で同じ時刻に複数種類の天気情報がある場合には、その平均的な天気情報を表示するようにしてもよい。また、デジタルカメラ機能による撮影結果が天気情報として提供された場合には、入出力手段３２にその画像（静止画、動画）を表示するものであってもよい。また、天気情報は表示によってユーザーに伝えられるものに限られるわけではなく、音声や、意味を持たせた振動等のいかなる報知手段によって伝えるものであってもかまわない。
【００４２】
以上説明した本発明によれば、より多くの詳細な地域の天気情報を、より信頼性高く収集し、管理することができる天気情報提供システムを提供することができる。
【００４３】
すなわち、本発明によれば、ユーザーが有する携帯電話機等から天気情報を収集するので、より多くの詳細な地域の天気情報を収集することができる。
【００４４】
また、本発明では、ユーザーが、自身が所定地域の天気情報を知りたいときに、自身の所在地の天気情報を天気情報管理システムに提供するのと引き換えに、知りたい所定地域の天気情報を提供してもらうというものである。
【００４５】
従来のように、天気情報提供の対価として電話料金を減額する場合には、同様の天気情報で何度も減額をする虞があり、システム運営上の課金が正当に行われない虞があるが、本発明のシステムでは、料金減額は行わないので正当な課金を行うことができるという効果を奏する。
【００４６】
また、従来のように、天気情報提供の対価として電話料金を減額する場合には、電話料金減額を目的に、虚偽の天気情報を提供してしまう虞が高いという問題があったが、本発明のシステムでは、所定地域の天気情報を欲するユーザーが、システムに自身の所在地の天気情報を提供するため、そのようなユーザーは、自分が受け取る天気情報が虚偽であると困るため、自分が提供する天気情報も正確なものにするよう努力するものである。本発明は、これを利用し、管理する天気情報をより信頼性高いものにすることができる。
【００４７】
なお、上述の実施の形態では天気情報を対象にしたが、本発明はこれに限られるものではなく、たとえば、賃貸住宅の家賃情報について、自身の住居の家賃情報を位置情報（たとえばＧＰＳ情報）とともに提供する代償として、他の人から提供された各地域の家賃価格帯や平均家賃などの家賃情報の提供を受けることができるシステムとしてもよいし、また、車両走行中の渋滞情報を位置情報（たとえばＧＰＳ情報）とともに提供する代償として、他の人から提供された各地域の渋滞情報の提供を受けることができるシステムとしてもよい。
【００４８】
また、本発明は、自身で購入した商品、あるいは自身が欲しい商品等の情報を提供する代償として、各種商品の売れ筋、あるいは人気ランキング等の情報の提供を受けることができるシステムであってもよい。
【００４９】
また、本発明は、自身の職種、年齢、経験、給与等の情報を提供する代償として、各種職種での給与等の情報の提供を受けることができるシステムであってもよい。
【００５０】
また、本発明は、自身の有する顧客情報を提供する代償として、ＣＲＭ（Ｃｕｓｔｏｍｅｒ  Ｒｅｌａｔｉｏｎｓｈｉｐ  Ｍａｎａｇｅｍｅｎｔ）から企業情報の提供を受けることができるシステムであってもよい。
【００５１】
また、本発明は、自身の有する何らかの事例を提供する代償として、事例集から情報の提供を受けることができるシステムであってもよい。
【００５２】
すなわち、本発明は、自身の有する何らかの情報を提供する代償として、その提供情報に関連して他社から提供された情報の提供を受けることができるシステム全般に適用されるものである。
【符号の説明】
【００５３】
１  天気情報管理サーバー
２  ネットワーク
３、４、５、６  端末装置
１１  制御手段
１２  入出力手段
１３  記憶手段
１４  ネットワーク接続手段
３１  制御手段
３２  入出力手段
３２１  天気情報入力欄
３２２  地域情報入力欄
３３  記憶手段
３４  ネットワーク接続手段
３５  位置情報取得手段
【図１】
2011076142.tif 000003
【図２】
2011076142.tif 000004
【図３】
2011076142.tif 000005
【図４】
2011076142.tif 000006
【図５】
2011076142.tif 000007
【図６】
2011076142.tif 000008
【図７】
2011076142.tif 000009